(57)【要約】  【課題】  つる巻き線を利用した書類立てにおいて、書類がつる巻き線の長手方向にほぼ直角になるように保持することを課題とする。  【解決手段】  書類立てとして、３本のつる巻き線と、前記各つるまき線を互いに平行に、かつ、前記各つるまき線の線材同士の隙間に所定の長方形状の書類の縁部が係合し、当該書類が各つる巻き線に対しほぼ直角になり得るように前記各つる巻き線を保持する保持体とを設ける。このような構成により、書類の縁部の３点を支持することで、つる巻き線の線材同士の隙間が斜めになっていても書類をつる巻き線の長手方向にほぼ直角に保持することができる。【選択図】  図１
2007037692.tif 000002
【特許請求の範囲】
【請求項１】
３本のつる巻き線と、
前記各つるまき線を互いに平行に、かつ、前記各つるまき線の線材同士の隙間に所定の長方形状の書類の縁部が係合して、当該書類が各つる巻き線に対しほぼ直角になり得るように、前記各つる巻き線を保持する保持体と
を有する書類立て。
【請求項２】
前記つる巻き線の線材同士の隙間による前記書類の縁部への係合は、前記書類の側方に位置する一縁の一箇所と、この一縁に対向する他縁の二箇所への係合である請求項１に記載の書類立て。
【請求項３】
前記つる巻き線は引っ張りバネであり、
前記保持体は前記各つる巻き線の両端を固定する２枚の側板と、この側板間を前記つる巻き線の通常の長さ以上に維持するように固定する側板固定体とから構成される
請求項１又は２に記載の書類立て。
【発明の詳細な説明】
【技術分野】
【０００１】
本発明は机上などで、書類を立てる器具に関する。
【背景技術】
【０００２】
机上に書類やファイルなどを置いておく場合、通常は、クリアホルダーなどに収納したり、紙挟みで束ねたりしてから、ファイルスタンドに入れて立てて収納する場合が多い。しかし、クリアホルダーに収納した書類や束ねた書類はそのままでは立つことができないので、分量が少ない場合、ファイルスタンド内で倒れて曲がってしまうことが多い。これに対応するものとして、下記特許文献１、２につる巻き線を利用した書類等の収納器具が示されている。これは、つる巻き線の隣接する線材同士の隙間に書類等を挟んで固定するものであり、書類等が薄く自立できないような場合でも、挟持固定することで自立させることが可能となる。  
【特許文献１】登録実用新案第３００３４４２号公報
【特許文献２】登録実用新案第３１０３０１２号公報
【発明の開示】
【発明が解決しようとする課題】
【０００３】
しかし、上記特許文献１、２に記載の発明では、一本のつる巻き線により書類を保持するために、線材同士により形成される隙間がつる巻き線の長手方向に対して斜めになる。このため、この隙間に挟持される書類もつる巻き線の長手方向に対して斜めになってしまうという問題が生じる。
本発明は、この点に鑑み、つる巻き線を利用した書類立てにおいて、書類がつる巻き線の長手方向にほぼ直角になるように保持することを課題とする。
【課題を解決するための手段】
【０００４】
上記課題を解決するために、本発明は次のような構成を有する。
請求項１に記載の発明は、３本のつる巻き線と、前記各つるまき線を互いに平行に、かつ、前記各つるまき線の線材同士の隙間に所定の長方形状の書類の縁部が係合し、当該書類が各つる巻き線に対しほぼ直角になり得るように前記各つる巻き線を保持する保持体とを有する書類立てである。なお、本願での「書類」には、一枚の書類のみならず、ステープラーや紙挟みで固定された書類の束、書類を挟んだクリアホルダーなどが含まれる。
請求項２に記載の発明は、前記書類立てにおいて、前記つる巻き線の線材同士の隙間による前記書類の縁部への係合を、前記書類の側方に位置する一縁の一箇所と、この一縁に対向する他縁の二箇所に対する係合としたものである。
請求項３に記載の発明は、前記書類立てにおいて、前記つる巻き線は引っ張りバネであり、前記保持体は前記各つる巻き線の両端を固定する２枚の側板と、この側板間を前記つる巻き線の通常の長さ以上に維持するように固定する側板固定体とから構成されるものである。なお、つる巻き線の通常の長さとは、引っ張りバネであるつる巻き線に引っ張り方向に力を加えていない状態における長さをいう。
【発明の効果】
【０００５】
請求項１に記載の発明は、書類の縁部の３箇所をつる巻き線の線材同士の隙間により支持するので、それぞれの箇所で線材同士が斜めになっていても書類を線材の長手方向にほぼ直角に保持することが可能となる。
請求項２に記載の発明は、前記つる巻き線の線材同士の隙間が、前記書類の側方に位置する一縁の一箇所のこの一縁に対向する他縁の二箇所に係合することで、書類の上縁が開放されるので、上方から書類の出し入れが容易にできるととともに、書類の側方の縁部で二箇所、つる巻き線により支持される点が存在することにより、縦方向に書類が折れ曲がることを抑制することができる。
請求項３に記載の発明は、つる巻き線を引張りバネとし、つる巻き線を固定する側板間をつる巻き線の通常時の長さよりも長くすることで、つる巻き線全体が張力をもって引っ張られて形状が安定するので、つる巻き線を構成する線材の太さを細くすることができ、それだけ書類立てとしての収納量を増やすことができる。
【発明を実施するための最良の形態】
【０００６】
以下、本発明の実施形態について、図面を参照しながら説明する。
図１に本実施形態に係る書類立てＸの斜視図を示す。書類立てＸは、３本の同じ形状を持つつる巻き線１１、１２、１３、これらのつる巻き線１１、１２、１３を固定する保持体となる固定枠２０とから構成される。つる巻き線１１、１２、１３は、バネ鋼により形成されるコイル状の引張りバネであり、外径が約１０ｍｍ、長さが約２００ｍｍに形成される。つる巻き線１１、１２、１３の両端部内面にはナットが溶接固定されている。
固定枠２０は、側板２１、２１、底板２２、背板２３とから構成される。ここでは、これらは合成樹脂により一体に形成される。
２枚の側板２１、２１は、前後が平行な台形状の板体であり側縁がほぼ鉛直に形成される。側板２１、２１の側面には３箇所の後述するボルトを通すボルト穴２１ａ、２１ｂ、２１ｃが設けられている。ボルト穴２１ａ、２１ａ、２１ａは前面側が斜辺となるような直角三角形の頂点を形成し、この直角三角形の底辺の両端に位置するボルト穴２１ａ、２１ｂの間隔は、想定される長方形状の書類であるＡ４用のクリアホルダの短辺の幅よりもやや狭く、この底辺に垂直な辺の両端に位置するボルト穴２１ｂ、２１ｃの間隔は、前記クリアホルダの長辺の長さの約３分の２になるように設定されている。図２に一のボルト穴２１ａとつる巻き線１１の端部との接合状態を示す拡大縦断面図を示す。図に示すようにつる巻き線１１の端部に固定されるナットはボルト穴２１ａを介して、ボルト２２により側板２１に固定されている。
【０００７】
底板２２は長方形状の板体であり、奥行きの長さは側板の奥行きの長さと一致し、横幅は、前記つる巻き線１１、１２、１３よりもやや長くなるように２５０ｍｍに形成されている。このようにつる巻き線１１、１２、１３よりも長く形成することで、引張りバネにより形成されるつる巻き線１１、１２、１３は引っ張られた状態で固定されることになり、常に張力を受けて伸びた状態で安定する。
背板２３は長方形状の板体であり、高さは側板の高さと一致し、横幅は底板２２の横幅と一致する。
【０００８】
次に、以上のような構成を有する書類立てＸの作用について説明する。つる巻き線１１、１２、１３は同じ形状であるので、線材間の隙間の位置は横方向にそれぞれ同じ位置に並ぶように形成されており、そして、つる巻き線１１、１２の中心間の間隔は想定される長方形の書類としてのクリアホルダの対向する側縁の間隔よりやや狭く、つる巻き線１２、１３の中心間の間隔はクリアホルダの一の側縁の２箇所を側縁の約３分の２の間隔を有している。従って、各つる巻き線１１、１２、１３の同じ場所の線材間の隙間にクリアホルダＨの端部を図１の想像線で示すような状態で位置づけると、ほぼつる巻き線１１、１２、１３の長手方向に直角にクリアホルダＨは保持されることになる。このように、本書類立てＸは、全ての線材１１、１２、１３間の隙間にクリアホルダＨを各つる巻き線１１、１２、１３の長手方向に直角に立てて収納することができる。
【０００９】
なお、上記実施形態では、固定枠２０を側板２１、底板２２、背板２３により形成しているが、底板２２、背板２３は側板２１を一定間隔で保持できればよいので形状は問わず、棒状体とすることもでき、また、何れか一方のみとすることもできる。また、つる巻き線は引っ張りバネで形成されているので、固定枠２０の側板２１同士の間隔を自在に変更できるようにしてもよい。
【図面の簡単な説明】
【００１０】
【図１】実施形態に係る書類立ての斜視図である。
【図２】つる巻き線端部と側板との固定状態を示す拡大縦断面図である。
【符号の説明】
【００１１】
Ｘ      書類立て
Ｈ      クリアホルダ
１１、１２、１３  つる巻き線
２０    固定枠
２１    側板
２２    底板
２３    背板
【図１】
2007037692.tif 000003
【図２】
2007037692.tif 000004